(57)【要約】      （修正有）【課題】疲れた気分にならず、長時間の清掃作業を可能とするドライシートを提供する。【解決手段】ドライシート１は、羊毛を織編して構成される不織布からなり、芳香剤を１５〜１７％の比率で含有させたものである。ドライシート１を床面に載置した後、中央部分にフローリングワイパー２をセットする。次に、ドライシート１の上端と下端とを、フローリングワイパー２の外周３を中心に内側へと折り曲げる。フローリングワイパー１に設けられた係止孔４，４・・の上に位置する縁部分を押し込むと、係止孔４の中心に向かって延びる鍔５，５・・に両端の縁部分が挟まれることとなり、フローリングワイパー２にドライシート１が一体に固定される。この状態で、柄６を握りフローリング等の床面の清掃を行えば、塵埃や毛髪等の捕集除去をしながらドライシート１内に浸透した芳香剤が染み出て床面に塗布される。【選択図】図１
0003190990.tif 000002
【実用新案登録請求の範囲】
【請求項１】
羊毛を織編した不織布からなるドライシートであって、
芳香剤を含有したことを特徴とするドライシート。
【請求項２】
前記芳香剤の成分は、
４０〜６０％のフタル酸ジエチレルと、
１０〜２０％のイソプロピルミリステートと、
１０〜２０％のフェニルエチルアルコールと、
１〜５％のベンジルアセテートと、
１〜５％のゲラニオールビージェイとを少なくとも含むことことを特徴とする請求項１に記載のドライシート。
【請求項３】
前記芳香剤を、前記不織布の重量に対して１５〜１７％の比率で含有させたことを特徴とする請求項１又は２に記載のドライシート。
【考案の詳細な説明】
【技術分野】
【０００１】
本考案は、フローリング等の床面を清掃するドライシートに関する。
【背景技術】
【０００２】
従来より、塵埃や毛髪等のゴミを捕集除去するには、それぞれの用途に対応した各種清掃具を用いる必要があったが、これら幅広い種類のゴミに対応可能なドライシートとして、不織布で構成したものが知られている（特許文献１）。
【先行技術文献】
【特許文献】
【０００３】
【特許文献１】特開２０１３−１７６４３２号公報
【考案の概要】
【考案が解決しようとする課題】
【０００４】
しかしながら、このようなドライシートでは、不織布を使用することで幅広い種類のゴミに対応可能で、塵埃や毛髪等の捕集除去には有効であるものの、黙々と集中して作業することから疲れた気分になり易く、長時間の清掃作業が困難になるといった問題があった。
【０００５】
そこで、本考案の目的は、上記従来のドライシートの問題点を解消し、疲れた気分にならず、長時間の清掃作業を可能とするドライシートを提供することにある。
【課題を解決するための手段】
【０００６】
本考案のうち、請求項１に記載された考案は、羊毛を織編して構成される不織布からなるドライシートであって、
芳香剤を含有したことにある。
【０００７】
請求項２に記載された考案は、請求項１に記載の考案に加え、前記芳香剤の成分は、
４０〜６０％のフタル酸ジエチレルと、
１０〜２０％のイソプロピルミリステートと、
１０〜２０％のフェニルエチルアルコールと、
１〜５％のベンジルアセテートと、
１〜５％のゲラニオールビージェイとを少なくとも含むことにある。
【０００８】
請求項３に記載された考案は、請求項１又は２に記載の考案に加え、前記芳香剤を、前記不織布の重量に対して１５〜１７％の比率で含有させたことにある。
【考案の効果】
【０００９】
請求項１又は３に記載されたドライシートは、疲れた気分にならず、長時間の清掃作業が可能であり、取り扱いも容易である。また、清掃用シートとして用いるだけでなく、そのまま香りシートとしても使用可能である。
【００１０】
請求項２に記載されたドライシートは、安価に製作することが可能である。
【図面の簡単な説明】
【００１１】
【図１】（ａ）はドライシート上にフローリングワイパーを載置した状態を示し、（ｂ）はフローリングワイパーにドライシートを一体に固定した状態を示す説明図である。
【考案を実施するための形態】
【００１２】
以下、本考案のドライシートの一実施形態について、図面に基づいて詳細に説明する。
ドライシート１は、羊毛を織編して構成される不織布からなり、フタル酸ジエチレルを４０〜６０％とし、イソプロピルミリステートを１０〜２０％とし、フェニルエチルアルコールを１０〜２０％とし、ベンジルアセテートを１〜５％とし、ゲラニオールビージェイを１〜５％とする成分で構成される芳香剤を、不織布５〜７グラムに対して、芳香剤は０．８５〜１グラムとし、１５〜１７％の比率で含有させたものである。
【００１３】
ドライシート１を使用した床面の清掃は、以下のように行われる。
先ず初めに、図１（ａ）に示すように、ドライシート１を床面に載置した後、中央部分にフローリングワイパー２をセットする。
次に、ドライシート１の上端と下端とを、フローリングワイパー２の外周３を中心に内側へと折り曲げる。そして、図１（ｂ）に示すように、フローリングワイパー１に設けられた係止孔４，４・・の上に位置する縁部分を押し込むと、係止孔４の中心に向かって延びる鍔５，５・・に両端の縁部分が挟まれることとなり、フローリングワイパー２にドライシート１が一体に固定される。
【００１４】
この状態で、柄６を握りフローリング等の床面を清掃を行えば、塵埃や毛髪等の捕集除去をしながらドライシート１内に浸透した芳香剤が染み出て床面に塗布されることとなる。
その結果、清掃を行いながら芳香剤の香りが室内に拡散することから、清掃作業者は、拡散した芳香剤の香りを嗅ぐことでリラックスでき、疲れた気分にならず長時間の清掃作業が可能となる。
【００１５】
また、ドライシート１を交換する際には、鍔５，５・・に挟まれた上下の縁部分をそれぞれ外側へと引っ張ることでドライシート１の固定が解除されることとなり、使用したドライシート１を裏返して使用することや廃棄すること、新しいドライシート１に交換することが可能となる。
【００１６】
上記の如く構成されるドライシート１は、疲れた気分にならず、長時間の清掃作業が可能であり、取り扱いも容易である。また、清掃用シートとして用いるだけでなく、そのまま香りシートとしても使用可能である。
【００１７】
また、芳香剤の成分は、４０〜６０％のフタル酸ジエチレルと、１０〜２０％のイソプロピルミリステートと、１０〜２０％のフェニルエチルアルコールと、１〜５％のベンジルアセテートと、１〜５％のゲラニオールビージェイとを少なくとも含むことにより、安価に製作することが可能である。
【００１８】
他にも、芳香剤を、不織布の重量に対して１５〜１７％の比率で含有させたことにより、疲れた気分にならず、長時間の清掃作業が可能であり、取り扱いも容易である。また、清掃用シートとして用いるだけでなく、そのまま香りシートとしても使用可能である。
【００１９】
なお、本考案にかかるドライシートの構成は、上記した実施の形態に何ら限定されるものではなく、本発明の趣旨を逸脱しない範囲で、大きさや厚み、形状等を適宜変更することができる。
【００２０】
例えば、図１に示すフローリングワイパー２にセットして清掃作業を行う他に、手でドライシート１を直接使用して清掃作業を行っても良く、宜変更可能である。また、他の清掃用具に固定したり、床面以外の清掃箇所に使用しても良い。
【００２１】
他にも、ドライシート１は、清掃用シートとして用いるだけでなく、そのままの状態で香りシートとしても使用可能である。
【符号の説明】
【００２２】
１・・ドライシート、２・・フローリングワイパー、３・・周縁、４・・係止孔、５・・鍔、６・・柄。
【図１】
0003190990.tif 000003